(57)【要約】【課題】  初期開封時にも容易にネジ蓋を回転させて飲料容器を開封することができるとともに、その後の再封止及び再開封も片手で容易に行うことができる蓋取り機能付簡易開閉キャップを提供することを課題とする。【解決手段】  下部に挿入開口を有し、上部に注出開口を有する内部空間を含む本体と、前記注出開口に取り付けられているワンタッチで開閉自在の蓋体とを有し、前記内部空間を形成する前記本体の内周面には、対象とする飲料容器をネジ蓋付き状態で前記挿入開口から挿入したときに前記ネジ蓋の外周と当接する蓋外周当接部と、対象とする飲料容器をネジ蓋を取り外した状態で前記挿入開口から挿入したときに、前記飲料容器のネジ蓋を取り外した口部と嵌合する口部嵌合部とが設けられている、蓋取り機能付簡易開閉キャップを提供することによって上記の課題を解決する。【選択図】  図１
2019018886.tif 000002
【特許請求の範囲】
【請求項１】
下部に挿入開口を有し、上部に注出開口を有する内部空間を含む本体と、前記注出開口に取り付けられているワンタッチで開閉自在の蓋体とを有し、前記内部空間を形成する前記本体の内周面には、対象とする飲料容器をネジ蓋付き状態で前記挿入開口から挿入したときに前記ネジ蓋の外周と当接する蓋外周当接部と、対象とする飲料容器をネジ蓋を取り外した状態で前記挿入開口から挿入したときに、前記飲料容器のネジ蓋を取り外した口部と嵌合する口部嵌合部とが設けられている、蓋取り機能付簡易開閉キャップ。
【請求項２】
前記蓋外周当接部の内側に区画される前記内部空間の水平断面形状が円形であるとともに、前記口部嵌合部の内側に区画される前記内部空間の水平断面形状が円形である請求項１記載の蓋取り機能付簡易開閉キャップ。
【請求項３】
前記蓋外周当接部と前記口部嵌合部とが、それぞれ２つ以上ずつ設けられており、それぞれの内側に区画される前記内部空間の前記円形の水平断面形状の内径が、対象とする飲料容器のネジ蓋の外径及び口部の外径の違いに応じて、それぞれ異なっている請求項２記載の蓋取り機能付簡易開閉キャップ。
【請求項４】
前記蓋外周当接部及び／又は前記口部嵌合部の、それぞれの内側に区画される前記内部空間の前記円形の水平断面形状の内径が、前記挿入開口側から前記注出開口側に向かうに連れて縮径している請求項２又は３記載の蓋取り機能付簡易開閉キャップ。
【請求項５】
前記口部嵌合部に、対象とする飲料容器の口部外周に形成されているネジ部と係合するネジ部が設けられている請求項１〜４のいずれかに記載の蓋取り機能付簡易開閉キャップ。
【請求項６】
前記蓋外周当接部が弾性を有する材料で構成されている請求項１〜５のいずれかに記載の蓋取り機能付簡易開閉キャップ。
【発明の詳細な説明】
【技術分野】
【０００１】
本発明は蓋取り機能付簡易開閉キャップに関し、詳細には、飲料容器などのネジ蓋を簡単に取り外すことができるだけでなく、ネジ蓋を取り外すのに使用した後は、飲料容器などの口部を覆うキャップにもなる蓋取り機能付簡易開閉キャップに関する。
【背景技術】
【０００２】
近年、ペットボトル入り又は缶入りの各種飲料が多数販売されており、我々の日常生活に不可欠のアイテムになりつつある。特に、容器口部にネジ蓋が採用されているペットボトルや缶は、ネジ蓋を取り外して一旦開封した後も、ネジ蓋を再び口部に取り付けることによって飲料容器口部の再封止することが可能であるので、一旦開けると再封止できないプルトップ型やリンプル型又はティアオフ型の蓋を有する飲料容器に比べて、可搬性や保存性に優れ、その需要は益々拡大しつつある。
【０００３】
しかしながら、飲料容器のネジ蓋は、未開封であるか既開封であるかを容易に判別できるよう、取り外されるネジ蓋部分と飲料容器口部に取り付けられた筒状リングとを破断可能な材料で連結した、いわゆるバージンキャップであることが多い。ネジ蓋がバージンキャップである場合、最初の開封時には、ネジ蓋と筒状リングとの連結部分の破断に要する分だけネジ蓋の回転に大きな力を必要とし、開封に困難を伴うことがあるという不都合を有している。特に、飲料容器口部の口径が小さい場合や、飲料容器のネジ蓋部分が濡れていたりする場合には、人手による回転力がネジ蓋にうまく伝わらず、初期開封に手間取ることがあることは我々が日常経験するところである。
【０００４】
この問題を解決すべく、例えば、特許文献１、２においては、内面に凹凸を有する空間部を備えたキャップオープナーが提案されている。これらキャップオープナーによれば、オープナーの外周径は開封しようとする飲料容器等のネジ蓋の外周径よりも大きく、かつ、人手による回転力が伝わりやすい形状を有しているので、オープナーの前記空間部の内周面をネジ蓋外周面に当接させてオープナーを回転させることによって、飲料容器等のネジ蓋を容易に開封することが可能である。
【０００５】
しかし、これらキャップオープナーは、主としてネジ蓋の初期開封時には必要であるものの、一旦開封してしまった後は不要となることが多く、その保管や取り扱いに別途配慮を要するという不都合がある。
【０００６】
また、飲料容器の側からみれば、キャップオープナーを使用することによって初期開封時の労力は軽減されるものの、その後の再封止、及び再封止後の再開封には、依然として、飲料容器本体とネジ蓋を相対回転させる必要がある。飲料容器本体とネジ蓋とを相対的に回転させるには、通常、飲料容器本体を一方の手で持つか両膝の間に挟むなどして固定支持しつつ、他方の手でネジ蓋を回転させなければならず、基本的に両手或いは片手と体の一部を必要とし、例えば、デスクワークの最中や、片手で携帯電話機を持っての通話中や、自動車の運転中など、両手を自由に使用することができない場面において、ネジ蓋付の飲料容器は蓋の開閉を容易に行うことができないという不都合を有している。
【先行技術文献】
【特許文献】
【０００７】
【特許文献１】実開昭５２−１６１１４８号公報
【特許文献２】特開２０１２−１２１５７６号公報
【発明の概要】
【発明が解決しようとする課題】
【０００８】
本発明は、ネジ蓋を有する飲料容器における上記不都合を解消するために為されたもので、初期開封時にも容易にネジ蓋を回転させて飲料容器を開封することができるとともに、その後の再封止及び再開封も片手で容易に行うことができる蓋取り機能付簡易開閉キャップを提供することを課題とする。
【課題を解決するための手段】
【０００９】
上記の課題を解決すべく、鋭意研究努力を重ねた結果、本発明者は、従来のキャップオープナーが初期開封時には有用であるものの、その後は使用されない点に着目し、キャップオープナーはキャップオープナーであるという既成概念にとらわれず、キャップオープナーをワンタッチで開閉自在な蓋体を備えたキャップとしても利用することに想い至り、種々試行錯誤を繰り返した結果、本発明を完成した。
【００１０】
すなわち、本発明は、下部に挿入開口を有し、上部に注出開口を有する内部空間を含む本体と、前記注出開口に取り付けられているワンタッチで開閉自在の蓋体とを有し、前記内部空間を形成する前記本体の内周面には、対象とする飲料容器をネジ蓋付き状態で前記挿入開口から挿入したときに前記ネジ蓋の外周と当接する蓋外周当接部と、対象とする飲料容器をネジ蓋を取り外した状態で前記挿入開口から挿入したときに、前記飲料容器のネジ蓋を取り外した口部と嵌合する口部嵌合部とが設けられている、蓋取り機能付簡易開閉キャップを提供することにより、上記課題を解決するものである。
【００１１】
上記のとおり、本発明の蓋取り機能付簡易開閉キャップは、本体の内部空間内に、対象とする飲料容器のネジ蓋の外周と当接する蓋外周当接部を備えているので、ネジ蓋付の飲料容器を前記内部空間内に挿入開口から挿入し、ネジ蓋の外周を前記蓋外周当接部と当接させて前記本体を回転させることにより、初期開封時であっても、容易にネジ蓋を回転させて飲料容器を開封することができる。
【００１２】
また、本発明の蓋取り機能付簡易開閉キャップは、本体の内部空間内に、対象とする飲料容器のネジ蓋を取り外した口部と嵌合する口部嵌合部を備えているので、ネジ蓋を取り外した飲料容器口部を前記内部空間内に挿入開口から挿入し、口部を前記口部嵌合部と嵌合させることにより、本発明の蓋取り機能付簡易開閉キャップを飲料容器の口部を覆うキャップとしても使用することができる。前記嵌合により、飲料容器内と前記内部空間とは連通し、前記内部空間は上部に注出開口を有しているとともに、前記注出開口にはワンタッチで開閉可能な蓋体が取り付けられているので、必要なときに必要に応じて片手で前記蓋体を開閉し、飲料容器内の飲料を飲んだり、容器に注いだりすることができる。
【００１３】
本発明の蓋取り機能付簡易開閉キャップは、その好適な一態様において、前記蓋外周当接部の内側に区画される前記内部空間の水平断面形状が円形であるとともに、前記口部嵌合部の内側に区画される前記内部空間の水平断面形状が円形である。前記蓋外周当接部の内側に区画される内部空間の水平断面形状は、挿入開口から挿入された飲料容器のネジ蓋の外周と当接する形状であれば良く、必ずしも円形に限られるものではないが、通常、飲料容器のネジ蓋の水平断面形状は円形であるので、円形である方が、ネジ蓋外周とより均一に当接し、使い勝手が良いという利点が得られる。
【００１４】
同様に、前記口部嵌合部の内側に区画される前記内部空間の水平断面形状は、挿入開口から挿入された飲料容器の口部と嵌合する形状であれば良く、必ずしも円形に限られるものではないが、通常、ネジ蓋付の飲料容器の口部の水平断面形状は円形であるので、円形である方が、飲料容器口部と前記口部嵌合部との間で、より均一で、円周方向に異方性のない嵌合が実現できるので好ましい。なお、本明細書において水平面とは、前記挿入開口から飲料容器の蓋部又は口部を挿入する方向と直交する面をいい、水平断面とは斯かる水平面での断面をいう。
【００１５】
また、本発明の蓋取り機能付簡易開閉キャップは、その好適な他の一態様において、前記蓋外周当接部と前記口部嵌合部とを、それぞれ２つずつ、或いは３つずつ、若しくはそれ以上ずつ有しており、それぞれの蓋外周当接部の内側及び口部嵌合部の内側に区画される前記内部空間の前記円形の水平断面形状の内径が、対象とする飲料容器のネジ蓋の外径及び口部の外径の違いに応じて、それぞれ異なっているのが望ましい。本発明の蓋取り機能付簡易開閉キャップが、このように、区画される内部空間の内径が異なる複数の蓋外周当接部及び口部嵌合部を備えている場合には、単一の蓋取り機能付簡易開閉キャップによって、蓋部及び口部の外径が異なる各種飲料容器に対応することができるという利点が得られる。
【００１６】
また、本発明の蓋取り機能付簡易開閉キャップにおいては、前記蓋外周当接部及び／又は前記口部嵌合部の、それぞれの内側に区画される前記内部空間の前記円形の水平断面形状の内径が、前記挿入開口側から前記注出開口側に向かうに連れて縮径しているのが望ましい。このように、前記蓋外周当接部及び／又は前記口部嵌合部の内側に区画される内部空間の内径が、前記挿入開口側から前記注出開口側に向かうに連れて縮径している場合には、飲料容器を前記挿入開口から前記内部空間内に挿入し、さらに挿入方向に力を加えることによって、飲料容器の蓋の外周と前記蓋外周当接部との当接をより強固なものにすることができるとともに、飲料容器の口部と前記口部嵌合部との嵌合をより密にすることができる。
【００１７】
このとき、前記蓋外周当接部と前記口部嵌合部とは連続していても良く、前記蓋外周当接部と前記口部嵌合部が２つ以上ずつ設けられている場合には、それら全てが連続していても良い。これらの場合、前記蓋外周当接部及び前記口部嵌合部の内側に区画される内部空間の水平断面形状の内径は、連続している前記蓋外周当接部と前記口部嵌合部とにわたって、或いは連続している全蓋外周当接部及び口部嵌合部にわたって、連続して縮径しているのが望ましい。
【００１８】
さらに、本発明の蓋取り機能付簡易開閉キャップは、その好適な他の一態様において、前記口部嵌合部に、対象とする飲料容器の口部外周に形成されているネジ部と係合するネジ部が設けられているのが望ましい。このようなネジ部が前記口部嵌合部に設けられている場合には、飲料容器の口部を前記口部嵌合部に嵌合させ、飲料容器と前記本体とを相対的に回転させることによって、飲料容器と、本発明に係る蓋取り機能付簡易開閉キャップの本体との結合を、より強固で液密かつ一体的なものとすることができる。
【００１９】
また、本発明の蓋取り機能付簡易開閉キャップは、その好適なさらに他の一態様において、前記本体の少なくとも前記蓋外周当接部が弾性を有する材料で構成されているのが望ましい。前記蓋外周当接部が弾性を有する材料で構成されている場合には、前記蓋外周当接部の内側に形成される内部空間の大きさを、対象とする飲料容器のネジ蓋の外径よりも若干小さくしておくことによって、飲料容器の蓋を前記蓋外周当接部と当接させたとき、前記蓋外周当接部が弾性変形するので、変形した弾性材料が元に戻ろうとする復元力を利用して、より強固な当接を実現することができるという利点が得られる。また、蓋外周当接部はネジ蓋の外周と当接して、これを回転させる必要上、比較的摩擦係数の大きな材料で構成されるのが好ましい。因みに、弾性を有する材料としては、天然ゴムやシリコーンゴムなどの弾性のある高分子材料が挙げられるが、これらに限られるものではなく、食品衛生上許容される材料であれば、適宜選択して使用することが可能である。
【００２０】
本発明の蓋取り機能付簡易開閉キャップが対象とする飲料容器は、ネジ蓋を有する飲料容器であれば良く、本体部やネジ蓋を構成する材料に特段の制限はない。例えば、本体部がガラス製で蓋が金属製又は合成樹脂製の飲料容器、本体部及び蓋が共に金属製である飲料容器、本体部及び蓋が共に合成樹脂製である飲料容器などが挙げられ、これらはいずれも、本発明の蓋取り機能付簡易開閉キャップの対象である。また、飲料容器内に充填されている飲料の種類にも特段の制限はなく、水、お茶、ウーロン茶、コーヒー、紅茶、栄養ドリンク、炭酸水、その他、如何なる飲料であっても良い。
【発明の効果】
【００２１】
本発明の蓋取り機能付簡易開閉キャップによれば、しばしば困難が伴うとされるネジ蓋付飲料容器の初期開封を容易に行えるとともに、開封後は、ネジ蓋に代えて、飲料容器の口部を覆うキャップとして使用することができる。しかも、本発明の蓋取り機能付簡易開閉キャップの注出開口には、ワンタッチで開閉自在な蓋体が取り付けられているので、片手で簡単に注出開口を開閉することができ、両手が自由に使えない状況下であっても、随時、片手で蓋体を開閉し、飲料容器内の飲料を飲んだり、容器に注いだりすることができるという利点が得られる。この利点は、特に自動車の運転中に運転者が飲料を欲した場合に顕著であり、本来は開閉に両手を必要とするネジ蓋付の飲料容器に充填された飲料を、片手で蓋体を開閉して喫飲することができるので、安全であり、かつ、より安心して好きな飲料を喫飲することができるという大きな利点が得られる。
【図面の簡単な説明】
【００２２】
【図１】本発明の蓋取り機能付簡易開閉キャップの一例を示す正面図である。
【図２】蓋取り機能付簡易開閉キャップの平面図である。
【図３】蓋取り機能付簡易開閉キャップの底面図である。
【図４】図２のＡ−Ａ’断面図である。
【図５】図４のＢ−Ｂ’断面図である。
【図６】図４のＣ−Ｃ’断面図である。
【図７】図４のＤ−Ｄ’断面図である。
【図８】図４のＥ−Ｅ’断面図である。
【図９】蓋取り機能付簡易開閉キャップのキャップオープナーとしての使用状態を示す図である。
【図１０】蓋取り機能付簡易開閉キャップのキャップオープナーとしての使用状態を示す図である。
【図１１】蓋取り機能付簡易開閉キャップのキャップとしての使用状態を示す図である。
【図１２】蓋取り機能付簡易開閉キャップのキャップとしての使用状態を示す図である。
【図１３】蓋取り機能付簡易開閉キャップのキャップオープナーとしての使用状態を示す図である。
【図１４】蓋取り機能付簡易開閉キャップのキャップオープナーとしての使用状態を示す図である。
【図１５】蓋取り機能付簡易開閉キャップのキャップとしての使用状態を示す図である。
【図１６】蓋取り機能付簡易開閉キャップのキャップとしての使用状態を示す図である。
【図１７】本発明の蓋取り機能付簡易開閉キャップの他の一例を示す縦断面図である。
【図１８】本発明の蓋取り機能付簡易開閉キャップのさらに他の一例を示す縦断面図である。
【図１９】蓋取り機能付簡易開閉キャップのキャップとしての使用状態を示す図である。
【図２０】本発明の蓋取り機能付簡易開閉キャップのさらに他の一例を示す縦断面図である。
【図２１】本発明の蓋取り機能付簡易開閉キャップの正面図である。
【発明を実施するための形態】
【００２３】
以下、図面を用いて本発明を詳細に説明するが、本発明が図示のものに限られないことはいうまでもない。
【００２４】
図１は、本発明に係る蓋取り機能付簡易開閉キャップの一例を示す正面図、図２は平面図、図３は底面図である。図１〜図３において、１は蓋取り機能付簡易開閉キャップであり、２は蓋取り機能付簡易開閉キャップ１の本体、３はワンタッチで開閉自在な蓋体、４は筒状リング、５はヒンジ、６は開閉用凸部、７は本体２の外周に形成されている滑り止め用の凸部である。
【００２５】
図４は、図２のＡ−Ａ’断面図である。図４に示すとおり、本体２はその内部に内部空間αを含んでおり、内部空間αは、その下部に挿入開口８を有するとともに、上部に注出開口９を有している。注出開口９には、ワンタッチで開閉自在な蓋体３が、筒状リング４及びヒンジ５を介して取り付けられている。また、内部空間αを形成している本体２の内周面には、第１の蓋外周当接部１０１及び第２の蓋外周当接部１０２が設けられているとともに、第１の口部嵌合部１１１及び第２の口部嵌合部１１２が設けられている。なお、本明細書において、上方とは、図中矢印で示すとおり、挿入開口８から後述する飲料容器の蓋部又は口部を挿入する方向に沿った上側をいい、下方とは前記挿入する方向に沿った下側をいうものとする。また、垂直（縦）方向とは前記上下方向をいい、水平方向とは前記上下方向に対して直交する方向をいうものとする。
【００２６】
１２１〜１２４は、それぞれ、第１の蓋外周当接部１０１と第１の口部嵌合部１１１との間、第１の口部嵌合部１１１と第２の蓋外周当接部１０２との間、第２の蓋外周当接部１０２と第２の口部嵌合部１１２との間、及び第２の口部嵌合部１１２の上端に設けられた段差である。これら段差１２１〜１２４は飲料容器の挿入深さの目安となるものであり、これら段差に突き当たるまで飲料容器を挿入開口から内部空間内に挿入することによって、各蓋外周当接部と飲料容器のネジ蓋外周との当接や、各口部嵌合部と飲料容器のネジ蓋を取り外した口部との嵌合が確実に行われることになる。
【００２７】
本体２は、第１及び第２の蓋外周当接部１０１及び１０２が後述する飲料容器のネジ蓋の外周と当接することができるとともに、第１及び第２の口部嵌合部１１１及び１１２が後述する飲料容器のネジ蓋を取り外した口部と嵌合することができ、かつ、食品衛生上問題のない材料であれば、どのような材料を用いて形成されていても良いが、少なくとも第１の蓋外周当接部１０１及び第２の蓋外周当接部１０２に相当する部分は、弾性を有する材料、例えば、シリコーンゴムや天然ゴムなどのエラストマーで構成されているのが好ましい。また、より好ましくは、第１の蓋外周当接部１０１及び第２の蓋外周当接部１０２に相当する部分に加えて、第１の口部嵌合部１１１及び第２の口部嵌合部１１２に相当する部分も、例えば、シリコーンゴムや天然ゴムなどの弾性を有する材料で構成されているのが望ましい。
【００２８】
第１及び第２の蓋外周当接部１０１及び１０２に相当する部分、並びに第１及び第２の口部嵌合部１１１及び１１２に相当する部分が弾性を有する材料で構成されている場合には、飲料容器を本体２の内部空間α内にやや力を込めて挿入することにより、蓋外周当接部１０１及び１０２並びに口部嵌合部１１１及び１１２を外側に向けて弾性変形させ、その復元力を利用して蓋外周当接部や口部嵌合部と飲料容器の蓋外周又は口部外周とを密着させることができるので、ネジ蓋外周部との当接又は口部との嵌合をより強固で確実なものとすることができる。
【００２９】
なお、本体２は、単一種類の材料で構成されていても良いし、積層又は組合わされた２種又はそれ以上の種類の材料で構成されていても良い。また、異なる材料で構成された複数のブロックを垂直方向に積み重ねて接合することにより構成されていても良い。
【００３０】
図５〜図８は、それぞれ図４のＢ−Ｂ’断面図、Ｃ−Ｃ’断面図、Ｄ−Ｄ’断面図、及びＥ−Ｅ’断面図である。図５に示すとおり、第１の蓋外周当接部１０１によって、本体２の内周面内側に区画される内部空間αｈ１の水平断面形状は円形であり、Ｈ１はその内径である。
【００３１】
同様に、図６に示すとおり、第１の口部嵌合部１１１によって、本体２の内周面内側に区画される内部空間αｕ１の水平断面形状は円形であり、Ｕ１はその内径である。第１の蓋外周当接部１０１と第１の口部嵌合部１１１とは一対になっており、後述するとおり、比較的大きな蓋径及び口径を有する飲料容器に対応している。
【００３２】
また、図７に示すとおり、第２の蓋外周当接部１０２によって、本体２の内周面内側に区画される内部空間αｈ２の水平断面形状は円形であり、Ｈ２はその内径である。同様に、図８に示すとおり、第２の口部嵌合部１１２によって、本体２の内周面内側に区画される内部空間αｕ２の水平断面形状は円形であり、Ｕ２はその内径である。第２の蓋外周当接部１０２と第２の口部嵌合部１１２とは一対になっており、後述するとおり、比較的小さな蓋径及び口径を有する飲料容器に対応している。
【００３３】
上記のとおり、本例の蓋取り機能付簡易開閉キャップ１においては、第１及び第２の蓋外周当接部１０１及び１０２、並びに第１及び第２の口部嵌合部１１１及び１１２によって区画される内部空間αｈ１、αｈ２、αｕ１、αｕ２の水平断面形状はいずれも円形であり、これはとりもなおさず、内部空間αの水平断面形状が円形であることを意味している。ただし、内部空間αｈ１及びαｈ２の水平断面形状は円形に限られるものではなく、第１及び第２の蓋外周当接部１０１及び１０２が挿入開口８から挿入される飲料容器の蓋外周と当接することができる限り、どのような水平断面形状を有していても良く、例えば、楕円形、長円形、三角形、四角形、その他の多角形であっても良い。
【００３４】
一方、第１及び第２の口部嵌合部１１１及び１１２によって区画される内部空間αｕ１、αｕ２の水平断面形状は、飲料容器口部と嵌合しなければならない必要上、円形であるのが好ましい。なお、本例においては、内部空間αｈ１、αｈ２、αｕ１、αｕ２は円形の水平断面形状において同心であるが、互いに偏心していても良い。
【００３５】
次に、図９〜図１２を用いて、比較的大きな蓋外径及び口部外径を有する飲料容器を対象としたときの本発明の蓋取り機能付簡易開閉キャップ１の使用方法について説明する。
【００３６】
図９において、Ｂ１は飲料容器であり、１３１はそのネジ蓋、１４１はネジ蓋と連結部材（図示しない）で連結された筒状リング、Ｃ１はネジ蓋１３１の外径である。便宜上、本発明の蓋取り機能付簡易開閉キャップ１のみを断面図で示してある。飲料容器Ｂ１は、比較的大きな蓋外径及び口部外径を有する飲料容器であり、これに対応して、蓋取り機能付簡易開閉キャップ１には第１の蓋外周当接部１０１と第１の口部嵌合部１１１が設けられている。
【００３７】
第１の蓋外周当接部１０１によって区画される内部空間αｈ１の内径Ｈ１は、通常、対象とする飲料容器Ｂ１のネジ蓋１３１の外径Ｃ１よりも若干小さめに設定されており、飲料容器Ｂ１のネジ蓋１３１の部分を、図中矢印で示すように、挿入開口８から本体２の内部空間α内に挿入すると、ネジ蓋１３１は第１の蓋外周当接部１０１を押し広げつつ内部空間αｈ１内に浸入し、ネジ蓋１３１の外周は第１の蓋外周当接部１０１と当接する。
【００３８】
図１０は、飲料容器Ｂ１のネジ蓋１３１の部分が挿入開口８から本体２の内部空間α内に挿入され、第１の蓋外周当接部１０１と当接した状態を示している。図に示すとおり、飲料容器Ｂ１のネジ蓋１３１の外周は、第１の蓋外周当接部１０１と当接しており、ネジ蓋１３１の上端は段差１２１に突き当たっている。この状態で、蓋取り機能付簡易開閉キャップ１の本体２を、ネジ蓋の通常の開封方向である図中矢印で示す方向に回転させると、その回転力は第１の蓋外周当接部１０１を介してネジ蓋１３１に伝達され、ネジ蓋１３１は、筒状リング１４１との連結部材を破断しながら図中矢印で示す方向に回転し、飲料容器Ｂ１は開封される。
【００３９】
なお、上記においては、第１の蓋外周当接部１０１によって区画される内部空間αｈ１の内径Ｈ１が、対象とする飲料容器Ｂ１のネジ蓋１３１の外径Ｃ１よりも若干小さめに設定されている場合について説明したが、蓋取り機能付簡易開閉キャップ１の本体２が外力によって変形可能な程度に軟らかい材料で形成されている場合には、内部空間αｈ１の内径Ｈ１を、対象とする飲料容器Ｂ１のネジ蓋１３１の外径Ｃ１と同じか、外径Ｃ１よりも若干大きめに設定しても良い。その場合には、飲料容器Ｂ１のネジ蓋１３１の部分を図１０に示すように第１の蓋外周当接部１０１によって区画される内部空間αｈ１内に挿入した後、本体２に力を加え、本体２を部分的に変形させることによって、ネジ蓋１３１の外周と第１の蓋外周当接部１０１とを部分的に当接させれば良い。部分的に当接させた状態で本体２を回転させると、本体２の回転力は、当接した部分を介してネジ蓋１３１に伝達され、ネジ蓋１３１は回転し、飲料容器Ｂ１は開封される。
【００４０】
図１１は、上記のようにして開封され、ネジ蓋１３１を取り外された飲料容器Ｂ１の口部１５１を、内部空間α内に設けられている第１の口部嵌合部１１１に嵌合させる直前の状態を示す図である。Ｏ１は口部１５１の外径である。第１の口部嵌合部１１１によって区画される内部空間αｕ１の内径Ｕ１は、通常、対象とする飲料容器Ｂ１の口部１５１の外径Ｏ１よりも若干小さめに設定されており、飲料容器Ｂ１の口部１５１の部分を、図中矢印で示すように、挿入開口８から本体２の内部空間α内に挿入すると、口部１５１は第１の口部嵌合部１１１を押し広げつつ内部空間αｕ１内に浸入し、口部１５１と第１の口部嵌合部１１１とは嵌合する。
【００４１】
図１２は、上記のようにして、飲料容器Ｂ１の口部１５１が挿入開口８から本体２の内部空間α内に挿入され、第１の口部嵌合部１１１と嵌合した状態を示している。なお、便宜上、飲料容器Ｂ１の口部１５１の一部のみ、部分的に切り欠いて示してある。図に示すとおり、飲料容器Ｂ１の口部１５１は、その外周を第１の口部嵌合部１１１と当接させて、第１の口部嵌合部１１１と嵌合しており、口部１５１の上端は段差１２２に突き当たっている。
【００４２】
このように、飲料容器Ｂ１の口部１５１と第１の口部嵌合部１１１とが嵌合することによって、飲料容器Ｂ１内の空間βは、口部１５１を介して、蓋取り機能付簡易開閉キャップ１の本体２の内部空間αと連通することになる。したがって、この状態で、蓋体３を図に矢印で示すように開けて、注出開口９を外部に露出させ、蓋取り機能付簡易開閉キャップ１と一体化した飲料容器Ｂ１を傾けることによって、飲料容器Ｂ１内の飲料を、内部空間αを経由させて適宜外部へと注ぎ出すことが可能である。因みに、第１の口部嵌合部１１１によって区画される内部空間αｕ１の内径Ｕ１が、対象とする飲料容器Ｂ１の口部１５１の外径Ｏ１よりも若干小さめに設定されているので、飲料容器Ｂ１の口部１５１と第１の口部嵌合部１１１との嵌合は確実であり、嵌合部から飲料が漏れる恐れはない。
【００４３】
しかも、蓋体３はワンタッチで開閉自在な蓋体であるので、例えば、片手で飲料容器Ｂ１を持ったまま、親指の先で開閉用凸部６を押し上げることによって、簡単に蓋体３を開とすることができる。このように、蓋取り機能付簡易開閉キャップ１をネジ蓋を取り外した飲料容器Ｂ１のキャップとして使用することによって、両手を自由に使えない状況下であっても、片手で簡単に注出開口９の蓋体３を開閉して、飲料容器Ｂ１内の飲料を適宜、喫飲したり、容器に注いだりすることができるという利点が得られる。
【００４４】
この利点は極めて有用であり、何らかの作業中はいうに及ばす、仮に、自動車の運転中に運転者が喉の渇きを覚えたときにも、両手を要することなく、片手で飲料容器の保持と口部の開閉を行い、適宜のタイミングで喉の渇きを潤すことができるので、本発明に係る蓋取り機能付簡易開閉キャップが安全、安心に寄与するところは極めて大である。
【００４５】
次に、図１３〜図１６を用いて、比較的小さな蓋外径及び口部外径を有する飲料容器を対象としたときの本発明の蓋取り機能付簡易開閉キャップ１の使用方法について説明する。
【００４６】
図１３において、Ｂ２は飲料容器であり、１３２はそのネジ蓋、１４２はネジ蓋と連結部材（図示しない）で連結された筒状リング、Ｃ２はネジ蓋１３２の外径である。便宜上、本発明の蓋取り機能付簡易開閉キャップ１のみを断面図で示してある。飲料容器Ｂ２は、比較的小さな蓋外径及び口部外径を有する飲料容器であり、これに対応して、蓋取り機能付簡易開閉キャップ１には第２の蓋外周当接部１０２と第２の口部嵌合部１１２が設けられている。
【００４７】
先に図９〜図１２を用いて説明したのと同様に、第２の蓋外周当接部１０２によって区画される内部空間αｈ２の内径Ｈ２は、通常、対象とする飲料容器Ｂ２のネジ蓋１３２の外径Ｃ２よりも若干小さめに設定されており、飲料容器Ｂ２のネジ蓋１３２の部分を、図中矢印で示すように、挿入開口８から本体２の内部空間α内に挿入すると、ネジ蓋１３２は第１の蓋外周当接部１０１を及び第１の口部嵌合部１１１を通過した後、第２の蓋外周当接部１０２を押し広げつつ内部空間αｈ２内に浸入し、ネジ蓋１３２の外周は第２の蓋外周当接部１０２と当接する。
【００４８】
図１４は、飲料容器Ｂ２のネジ蓋１３２の部分が挿入開口８から本体２の内部空間α内に挿入され、第２の蓋外周当接部１０２と当接した状態を示している。図に示すとおり、飲料容器Ｂ２のネジ蓋１３２の外周は、第２の蓋外周当接部１０２と当接しており、ネジ蓋１３２の上端は段差１２３に突き当たっている。この状態で、蓋取り機能付簡易開閉キャップ１の本体２を、ネジ蓋の通常の開封方向である図中矢印で示す方向に回転させると、その回転力は第２の蓋外周当接部１０２を介してネジ蓋１３２に伝達され、ネジ蓋１３２は、筒状リング１４２との連結部材を破断しながら図中矢印で示す方向に回転し、飲料容器Ｂ２は開封される。
【００４９】
なお、上記においては、第２の蓋外周当接部１０２によって区画される内部空間αｈ２の内径Ｈ２が、対象とする飲料容器Ｂ２のネジ蓋１３２の外径Ｃ２よりも若干小さめに設定されている場合について説明したが、蓋取り機能付簡易開閉キャップ１の本体２が外力によって変形可能な程度に軟らかい弾性を有する材料で形成されている場合には、内部空間αｈ２の内径Ｈ２を、対象とする飲料容器Ｂ２のネジ蓋１３２の外径Ｃ２と同じか、外径Ｃ２よりも若干大きめに設定しても良いことは、先に図１０を用いて説明したと同様である。すなわち、その場合には、飲料容器Ｂ２のネジ蓋１３２の部分を図１４に示すように、第２の蓋外周当接部１０２によって区画される内部空間αｈ２内に挿入した後、本体２に力を加え、本体２を部分的に変形させることによって、ネジ蓋１３２の外周と第２の蓋外周当接部１０２とを部分的に当接させれば良い。部分的に当接した状態で本体２を回転させると、本体２の回転力は当接した部分を介してネジ蓋１３２に伝達され、ネジ蓋１３２は回転し、飲料容器Ｂ２は開封される。
【００５０】
図１５は、上記のようにして開封され、ネジ蓋１３２を取り外された飲料容器Ｂ２の口部１５２を、内部空間α内に設けられている第２の口部嵌合部１１２に嵌合させる直前の状態を示す図である。Ｏ２は口部１５２の外径である。第２の口部嵌合部１１２によって区画される内部空間αｕ２の内径Ｕ２は、通常、対象とする飲料容器Ｂ２の口部１５２の外径Ｏ２よりも若干小さめに設定されており、飲料容器Ｂ２の口部１５２の部分を、図中矢印で示すように、挿入開口８から本体２の内部空間α内に挿入すると、口部１５１は第２の口部嵌合部１１２を押し広げつつ内部空間αｕ２内に浸入し、口部１５２と第２の口部嵌合部１１２とは嵌合する。
【００５１】
図１６は、上記のようにして、飲料容器Ｂ２の口部１５２が挿入開口８から本体２の内部空間α内に挿入され、第２の口部嵌合部１１２と嵌合した状態を示している。なお、便宜上、飲料容器Ｂ２の口部１５２の一部のみ、部分的に切り欠いて示してある。図に示すとおり、飲料容器Ｂ２の口部１５２は、その外周を第２の口部嵌合部１１２と当接させて、第２の口部嵌合部１１２と嵌合しており、口部１５２の上端は段差１２４に突き当たっている。
【００５２】
このように、飲料容器Ｂ２の口部１５２と第２の口部嵌合部１１２とが嵌合することによって、飲料容器Ｂ２内の空間βは、口部１５２を介して、蓋取り機能付簡易開閉キャップ１の本体２の内部空間αと連通することになる。したがって、この状態で、蓋体３を図に矢印で示すように開けて、注出開口９を外部に露出させ、蓋取り機能付簡易開閉キャップ１と一体化した飲料容器Ｂ２を傾けることによって、飲料容器Ｂ２内の飲料を、内部空間αを経由させて、適宜外部へと注ぎ出すことが可能である。因みに、第２の口部嵌合部１１２によって区画される内部空間αｕ２の内径Ｕ２は対象とする飲料容器Ｂ２の口部１５２の外径Ｏ２よりも若干小さめに設定されているので、飲料容器Ｂ２の口部１５２と第２の口部嵌合部１１２との嵌合は確実であり、嵌合部から飲料が漏れる恐れはない。
【００５３】
しかも、上述したとおり、蓋体３はワンタッチで開閉自在な蓋体であるので、例えば、片手で飲料容器Ｂ２を持ったまま、親指の先で開閉用凸部６を押し上げることによって、簡単に蓋体３を開とすることができる。このように、蓋取り機能付簡易開閉キャップ１をネジ蓋を取り外した飲料容器Ｂ２のキャップとして使用することによって、両手を自由に使えない状況下であっても、片手で簡単に注出開口９の蓋体３を開閉して、飲料容器Ｂ２内の飲料を適宜、喫飲したり、容器に注いだりすることができるという利点が得られる。
【００５４】
この利点は、前述したとおり、極めて有用であり、何らかの作業中はいうに及ばす、仮に、自動車の運転中に運転者が喉の渇きを覚えて飲料を欲したときにも、両手を要することなく、片手で飲料容器の保持と口部の開閉を行い、適宜のタイミングで喉の渇きを潤すことができるので、本発明に係る蓋取り機能付簡易開閉キャップが安全、安心に寄与するところは極めて大である。
【００５５】
なお、上に説明した例では、蓋取り機能付簡易開閉キャップ１の本体２の内周面には、比較的大きな蓋外径及び口部外径を有する飲料容器Ｂ１用と、比較的小さな蓋外径及び口部外径を有する飲料容器Ｂ２用に、それぞれ２つずつ、合計二対の蓋外周当接部と口部嵌合部が設けられているが、蓋外周当接部及び口部嵌合部の数は２つずつに限られない。特定の蓋外径及び口部外径を有する単一種類の飲料容器を対象として、蓋外周当接部と口部嵌合部を１つずつ、一対設けても良いし、大、中、小、それぞれ異なる蓋外径及び口部外径を有する三種類の飲料容器に対応すべく、蓋外周当接部及び口部嵌合部を３つずつ三対設けても良く、また、可能であれば四対以上設けても良い。
【００５６】
図１７は、本発明に係る蓋取り機能付簡易開閉キャップ１の他の一例を示す縦断面図である。Ｈ１Ｔは、第１の蓋外周当接部１０１の上端部における内部空間αの内径であり、Ｈ１Ｌは、第１の蓋外周当接部１０１の下端部における内部空間αの内径である。図に示すとおり、Ｈ１Ｌ＞Ｈ１Ｔの関係にあり、第１の蓋外周当接部１０１の内側に区画される内部空間αｈ１の円形の水平断面形状の内径は、挿入開口８側から注出開口９側に向かうに連れて、すなわち、上方に向かうに連れて縮径している。
【００５７】
同様に、Ｕ１Ｔは、第１の口部嵌合部１１１の上端部における内部空間αの内径であり、Ｕ１Ｌは、第１の口部嵌合部１１１の下端部における内部空間αの内径である。図に示すとおり、Ｕ１Ｌ＞Ｕ１Ｔの関係にあり、第１の口部嵌合部１１１の内側に区画される内部空間αｕ１の円形の水平断面形状の内径は、挿入開口８側から注出開口９側に向かうに連れて、すなわち、上方に向かうに連れて縮径している。
【００５８】
同様に、第２の蓋外周当接部１０２の上端部における内部空間αの内径Ｈ２Ｔは、第２の蓋外周当接部１０２の下端部における内部空間αの内径Ｈ２Ｌよりも小さく、第２の口部嵌合部１１２の上端部における内部空間αの内径Ｕ２Ｔは、第２の口部嵌合部１１２の下端部における内部空間αの内径Ｕ２Ｌよりも小さい。
【００５９】
このように、蓋外周当接部及び口部嵌合部の内側に区画される内部空間の内径が上方に向かうに連れて縮径している場合には、対象とする飲料容器のネジ蓋の外径や、ネジ蓋を取り外した後の口部の外径に、多少のばらつきがあった場合でも、対象となる飲料容器を挿入口８から内部空間α内に挿入し、上方に向かって押し込むことによって、上方に向かうどこかの位置で、第１又は第２の蓋外周当接部１０１又は１０２と当接させ、或いは、第１又は第２の口部嵌合部１１１又は１１２と嵌合させることができるので、蓋取り機能付簡易開閉キャップ１の汎用性が増すという利点が得られる。なお、この場合にも、第１及び第２の蓋外周当接部１０１、１０２、さらには第１及び第２の口部嵌合部１１１、１１２を弾性を有する材料で構成しておくことができるのは勿論である。
【００６０】
図１８は、本発明に係る蓋取り機能付簡易開閉キャップ１のさらに他の一例を示す縦断面図であり、第１の口部嵌合部１１１の内側に、対象とする飲料容器の口部外周に形成されているネジ部と係合するネジ部１１１Ｓが設けられている点に特徴がある。
【００６１】
第１の口部嵌合部１１１の内側に、対象とする飲料容器の口部外周に形成されているネジ部と係合するネジ部１１１Ｓが設けられている場合には、ネジ蓋を取り外した飲料容器Ｂ１を挿入開口８から内部空間α内に挿入し、その口部１５１を第１の口部嵌合部１１１と当接させた状態で飲料容器Ｂ１と本体２とを相対的に回転させることによって、例えば、図１９に示すように、口部１５１の外周に形成されているネジ部１５１Ｓと第１の口部嵌合部１１１の内側に設けられているネジ部１１１Ｓとを螺号させて、両者の嵌合、一体化をより確実で、液密なものとすることができる。
【００６２】
なお、本例においては、ネジ部は第１の口部嵌合部１１１にしか設けられていないけれども、第２の口部嵌合部１１２にも、対象とする飲料容器の口部外周に形成されているネジ部と係合するネジ部１１２Ｓを設けても良いことは勿論である。
【００６３】
第１の口部嵌合部１１１及び／又は第２の口部嵌合部１１２に対象とする飲料容器の口部外周に形成されているネジ部と係合するネジ部１１２Ｓ及び／又は１１２Ｓを設ける場合、第１及び／又は第２の口部嵌合部の表面は、飲料容器Ｂ１の口部１５１及び／又は１５２との相対回転を許容する程度に滑らかな材料で形成されるのが好ましく、例えば、ネジ蓋付の飲料容器の蓋部に用いられている合成樹脂、鉄又はアルミニウム等の金属、或いはこれにラミネートを施したものなどを用いるのが好ましい。なお、ネジ部が設けられる第１の口部嵌合部１１１及び／又は第２の口部嵌合部１１２の表面だけでなく、当該部分の水平方向延長部に相当する本体２の部分全体を、ネジ部を形成するのに適当な材料で構成し、例えば弾性を有する他の材料で構成されている部分と接合するようにしても良い。
【００６４】
図２０は、本発明に係る蓋取り機能付簡易開閉キャップ１のさらに他の一例を示す縦断面図であり、第１の蓋外周当接部１０１と第１の口部嵌合部１１１とが連続し、第１の当接嵌合部１６１を構成しているとともに、第２の蓋外周当接部１０２と第２の口部嵌合部１１２とが連続し、第２の当接嵌合部１６２を構成している。
【００６５】
図２０に示すとおり、第１の当接嵌合部１６１の内側に区画される水平断面形状円形の内部空間αの内径ＨＵ１は、上方に向かうに連れて徐徐に小さくなっており、縮径している。同様に、第２の当接嵌合部１６２の内側に区画される水平断面形状円形の内部空間αの内径ＨＵ２も、上方に向かうに連れて徐徐に小さくなっており、縮径している。ただし、最も下方の位置における内径ＨＵ１Ｌは、第１の当接嵌合部１６１が対象とする飲料容器の蓋部の外径よりも大きく、最も上方の位置における内径ＨＵ１Ｔは、第１の当接嵌合部１６１が対象とする飲料容器のネジ蓋を取り外した口部の外径よりも小さく設定されていることはいうまでもない。
【００６６】
同様に、最も下方の位置における内径ＨＵ２Ｌは、第２の当接嵌合部１６２が対象とする飲料容器の蓋部の外径よりも大きく、最も上方の位置における内径ＨＵ２Ｔは、第２の当接嵌合部１６２が対象とする飲料容器のネジ蓋を取り外した口部の外径よりも小さく設定されている。
【００６７】
このように、蓋外周当接部と口部嵌合部とが連続している場合には、飲料容器を当接又は嵌合させる先が蓋外周当接部であるか、口部嵌合部であるかを気に掛けることなく、単に飲料容器を挿入開口から挿入すれば良く、本発明に係る蓋取り機能付簡易開閉キャップ１の使い勝手が良くなるという利点が得られる。
【００６８】
なお、第１の当接嵌合部１６１及び／又は第２の当接嵌合部１６２の上部又は全部に、対象とする飲料容器の口部外周に形成されているネジ部と係合するネジ部を設けても良い。ネジ部が設けられている場合には、飲料容器の口部外周に形成されているネジ部と第１の当接嵌合部１６１及び／又は第２の当接嵌合部１６２に設けられているネジ部とを螺号させて、両者の嵌合、一体化をより確実で、液密なものとすることができるという利点が得られる。
【００６９】
図２１に示すように、本発明に係る蓋取り機能付簡易開閉キャップ１の本体２には、印刷、シールの貼付、ホログラムの貼付や埋め込みなどの適宜の手法を用いて、適宜の文字、記号、図形、模様等を表示することができる。この場合、本体２は、一部又は全部が透明な材料で構成されていても良い。本体２に適宜の文字や記号等が表示されている本発明に係る蓋取り機能付簡易開閉キャップ１は、見栄えが良く、宣伝効果にも優れているので、有償の商品としてだけでなく、無償で配布されるノベルティなどとしても、極めて有用に使用することができるものである。
【産業上の利用可能性】
【００７０】
本発明の蓋取り機能付簡易開閉キャップは、ネジ蓋付の飲料容器の初期開封を容易に行えるだけでなく、ネジ蓋に代わる容器キャップとしても使用できる極めて便利かつ有用なキャップである。しかも、その注出開口にはワンタッチで開閉自在な蓋体が取り付けられているので、片手で容易に開閉して、飲料容器内の飲料を適宜喫飲することができる。本発明の蓋取り機能付簡易開閉キャップによれば、デスクワークや携帯電話での通話中や、さらには自動車の運転中においても、片手で容易に、しかも安全かつ安心に所望の飲料を喫飲することを可能であり、その産業上の有用性は多大である。
【符号の説明】
【００７１】
１            蓋取り機能付簡易開閉キャップ
２            本体
３            蓋体
４            筒状リング
５            ヒンジ
６            開閉用凸部
７            滑り止め用凸部
８            挿入開口
９            注出開口
１０１、１０２      蓋外周当接部
１１１、１１２      口部嵌合部
１２１〜１２４      段差
１３１、１３２      ネジ蓋
１４１、１４２      筒状リング
１５１、１５２      口部
１６１、１６２      当接嵌合部
α            内部空間
【図１】
2019018886.tif 000003
【図２】
2019018886.tif 000004
【図３】
2019018886.tif 000005
【図４】
2019018886.tif 000006
【図５】
2019018886.tif 000007
【図６】
2019018886.tif 000008
【図７】
2019018886.tif 000009
【図８】
2019018886.tif 000010
【図９】
2019018886.tif 000011
【図１０】
2019018886.tif 000012
【図１１】
2019018886.tif 000013
【図１２】
2019018886.tif 000014
【図１３】
2019018886.tif 000015
【図１４】
2019018886.tif 000016
【図１５】
2019018886.tif 000017
【図１６】
2019018886.tif 000018
【図１７】
2019018886.tif 000019
【図１８】
2019018886.tif 000020
【図１９】
2019018886.tif 000021
【図２０】
2019018886.tif 000022
【図２１】
2019018886.tif 000023